(57)【特許請求の範囲】
【請求項１】
インテリジェントガスメータ感知・制御システムと、ガスネット通信システムと、ガス業者ガス総合管理システムとを含み、
前記インテリジェントガスメータ感知・制御システムは、インテリジェントガスメータ感知ユニットとインテリジェントガスメータ制御ユニットとを含み、
前記ガスネット通信システムは、感知情報通信システムと制御情報通信システムとを含み、
前記インテリジェントガスメータ感知・制御システムにおける前記インテリジェントガスメータ感知ユニットは、前記ガスネット通信システムにおける感知情報通信システムを介してガス業者ガス総合管理システムと通信接続し、
前記ガス業者ガス総合管理システムは、ガスネット通信システムにおける制御情報通信システムを介して前記インテリジェントガスメータ感知・制御システムにおけるインテリジェントガスメータ制御ユニットと通信接続し、
前記ガス業者ガス総合管理システムは、感知情報管理システムと制御情報管理システムとを含み、
さらにユーザ端末を含み、前記ユーザ端末は、ユーザシステムを含み、
さらにサービスシステムを含み、前記サービスシステムは、公衆ネットワークを介してガス業者ガス総合管理システムと通信接続し、前記サービスシステムは、ガス業者感知サービスシステムと、ガス業者制御サービスシステムと、政府感知サービスシステムと、社会公衆感知サービスシステムとを含み、
前記インテリジェントガスメータ感知・制御システムにおけるインテリジェントガスメータ感知ユニットは、前記インテリジェントガスメータの情報を取得し、情報を前記ガスネット通信システムにおける感知情報通信システムを介してガス業者ガス総合管理システムにおける感知情報管理システムに伝送するように構成され、
前記感知情報管理システムは、公衆ネットワークを介して情報をサービスシステムにおけるガス業者感知サービスシステムに伝送するように構成され、
ガス業者感知サービスシステムは、情報をユーザ端末のユーザシステムに伝送するように構成され、
前記ユーザシステムは、情報をガス業者制御サービスシステムに伝送するように構成され、
ガス業者制御サービスシステムは、情報を公衆ネットワークを介してガス業者ガス総合管理システムにおける制御情報管理システムに伝送するように構成され、
前記制御情報管理システムは、ガスネット通信システムにおける制御情報通信システムを介して情報をインテリジェントガスメータ感知・制御システムにおけるインテリジェントガスメータ制御ユニットに伝送するように構成され、
前記インテリジェントガスメータ制御ユニットは、受信した情報に基づいてインテリジェントガスメータに対する制御を実現するように構成され、
前記サービスシステムにおける政府感知サービスシステム及び／又は社会公衆感知サービスシステムは、公衆ネットワークを介してインテリジェントガスメータの公衆情報を取得し、ユーザ端末のユーザシステムに伝送するように構成され、
前記ユーザシステムは、公衆情報をサービスシステムにおけるガス業者制御サービスシステムに伝送するように構成され、
前記ガス業者制御サービスシステムは、公衆ネットワークを介して公衆情報をガス業者ガス総合管理システムにおける制御情報管理システムに伝送するように構成され、
前記制御情報管理システムは、ガスネット通信システムにおける制御情報通信システムを介して公衆情報をインテリジェントガスメータ感知・制御システムにおけるインテリジェントガスメータ制御ユニットに伝送するように構成され、
前記インテリジェントガスメータ制御ユニットは、受信した公衆情報に基づいてインテリジェントガスメータに対する制御を実現するように構成され、
前記ガスネット通信システムが設けられるモノのインターネットインテリジェントガスメータ通信モジュールは、移動通信ネットワーク及びモノのインターネットゲートウェイとともに通信プラットフォームを構成する
ことを特徴とするインテリジェントガスメータに適用するモノのインターネットシステム。
【請求項２】
前記情報は、感知情報と制御情報とを含み、
前記制御情報は、インテリジェントガスメータ感知ユニットからインテリジェントガスメータ制御ユニットへ情報が伝送される間に、前記感知情報に基づいて生成され、又は前記感知情報から変換されるものである
ことを特徴とする請求項１に記載のインテリジェントガスメータに適用するモノのインターネットシステム。
【請求項３】
前記公衆情報は、公衆感知情報と公衆制御情報とを含み、
前記公衆制御情報は、公衆感知情報サービスシステムからインテリジェントガスメータ制御ユニットへ伝送される間に、公衆感知情報に基づいて生成され、又は公衆感知情報から変換されるものである
ことを特徴とする請求項１に記載のインテリジェントガスメータに適用するモノのインターネットシステム。
【請求項４】
インテリジェントガスメータ感知・制御システムと、ガスネット通信システムと、ガス業者ガス総合管理システムとを含み、前記インテリジェントガスメータ感知・制御システムは、インテリジェントガスメータ感知ユニットとインテリジェントガスメータ制御ユニットとを含み、前記ガスネット通信システムは、感知情報通信システムと制御情報通信システムとを含み、前記ガス業者ガス総合管理システムは、感知情報管理システムと制御情報管理システムとを含み、
さらにユーザ端末を含み、前記ユーザ端末は、ユーザシステムを含み、
さらにサービスシステムを含み、前記サービスシステムは、公衆ネットワークを介してガス業者ガス総合管理システムと通信接続し、前記サービスシステムは、ガス業者感知サービスシステムと、ガス業者制御サービスシステムと、政府感知サービスシステムと、社会公衆感知サービスシステムとを含み、前記ガスネット通信システムが設けられるモノのインターネットインテリジェントガスメータ通信モジュールは、移動通信ネットワーク及びモノのインターネットゲートウェイとともに通信プラットフォームを構成するインテリジェントガスメータに適用するモノのインターネットシステムの情報伝送方法であって、
インテリジェントガスメータ感知・制御システムにおけるインテリジェントガスメータ感知ユニットは、インテリジェントガスメータの情報を感知してから、ガスネット通信システムにおける感知情報通信システムを介してガス業者ガス総合管理システムにおける感知情報管理システムに伝送するステップと、
該感知情報管理システムは、公衆ネットワークを介して情報をサービスシステムにおけるガス業者感知サービスシステムに伝送し、該ガス業者感知サービスシステムは、情報をユーザ端末のユーザシステムに伝送するステップと、
該ユーザシステムは、情報をガス業者制御サービスシステムに伝送し、該ガス業者制御サービスシステムは、情報を公衆ネットワークを介してガス業者ガス総合管理システムにおける制御情報管理システムに伝送するステップと、
該制御情報管理システムは、ガスネット通信システムにおける制御情報通信システムを介して情報をインテリジェントガスメータ感知・制御システムにおけるインテリジェントガスメータ制御ユニットに伝送するステップと、
インテリジェントガスメータ制御ユニットは、受信した情報に基づいて、インテリジェントガスメータに対する制御を実現するステップと、
サービスシステムにおける政府感知サービスシステム及び／又は社会公衆感知サービスシステムは、公衆ネットワークを介してインテリジェントガスメータの公衆情報を取得して、ユーザ端末のユーザシステムに伝送するステップと、
ユーザシステムは、公衆情報をサービスシステムにおけるガス業者制御サービスシステムに伝送するステップと、
ガス業者制御サービスシステムは、公衆ネットワークを介して公衆情報をガス業者ガス総合管理システムにおける制御情報管理システムに伝送するステップと、
制御情報管理システムは、ガスネット通信システムにおける制御情報通信システムを介して公衆情報をインテリジェントガスメータ感知・制御システムにおけるインテリジェントガスメータ制御ユニットに伝送するステップと、
インテリジェントガスメータ制御ユニットは、受信した公衆情報に基づいて、インテリジェントガスメータに対する制御を実現するステップと、
を含むことを特徴とするインテリジェントガスメータに適用するモノのインターネットシステムの情報伝送方法。
【請求項５】
前記情報は、感知情報と制御情報とを含み、
情報をインテリジェントガスメータ制御ユニットに伝送する間に、前記感知情報に基づいて制御情報を生成し、又は前記感知情報を制御情報に変換する
ことを特徴とする請求項４に記載のインテリジェントガスメータに適用するモノのインターネットシステムの情報伝送方法。
【発明の詳細な説明】
【優先権主張】
【０００１】
本出願は、２０１５年１１月１８日に中国専利局に提出され、出願番号が「ＣＮ２０１５１０７９６８１０．７」であり、名称が「モノのインターネットインテリジェントガスメータシステム」である中国特許出願に基づいて優先権を主張し、当該出願におけるすべての内容開示は、引用により本明細書に組み込まれる。
【技術分野】
【０００２】
本発明は、インテリジェントガスメータに適用するモノのインターネットの技術分野に属し、具体的に、インテリジェントガスメータに適用するモノのインターネットシステム及びそれに関わる情報伝送方法に関する。
【背景技術】
【０００３】
モノのインターネットは、新世代の情報技術の重要な構成要素となり、「情報化」時代の重要な発展段階ともなる。その英文名称は、「Ｉｎｔｅｒｎｅｔ ｏｆ ｔｈｉｎｇｓ（ＩＯＴ）」である。現在、モノのインターネットは、物を繋げるインターネットであり、インターネットの拡張であるという認識が一般的になっている。モノのインターネットには、以下の２つの意味が含まれる。１、モノのインターネットは、その核心及び土台が依然としてインターネットであり、インターネットを土台として延長し拡張したものである。２、ユーザ端末は、あらゆる物と物の間に介在し、情報のやり取り及び通信を行い、即ち、物と物との繋がりが実現された。
【０００４】
モノのインターネットの構成は、今最も使われているのが３層構成であり、感知制御層と、ネット伝送層と、アプリケーションサービス層との３層に分けられている。
【０００５】
分析により、従来の参照モデルに含まれる構成は、いずれもモノのインターネット製品の機能構成である。機能により分類すると、異なる構成となるし、国家、業界、組織のそれぞれによって異なる構成となる可能性もある。しかしながら、現在のモノのインターネット製品の機能構成が実質的にモノのインターネット情報の機能を表すものであり、モノのインターネット情報システムの共通特徴は提供されなかった。
【０００６】
中国国家知識産権局により、２０１２年１１月０７日に、公開番号がＣＮ１０２７６９６３５Ａであり、名称が「モノのインターネットシステム及びその実現方法」である発明は開示された。該発明は、感知制御層と、伝送層と、アプリケーション層とを含む。その実現方法は、ユーザがユーザＩＤでモノのインターネットプラウザを介してモノのインターネットシステムにログインし、アドレスバーにモノのインターネットシステムが管理する１つの感知制御コンポーネントの登録ドメイン名を入力するステップと、ドメインネームサーバにより上記登録ドメイン名を解析し、モノのインターネットプラウザに感知制御コンポーネントに対応するモノのページを読み込むステップと、モノのインターネットプラウザがモノのページに対応する要素に基づき、クアンタムピースサーバから対応するクアンタムオブジェクトを読み込むステップと、感知情報を、感知モジュールによりリアルタイムで取得し、伝送層を介してモノのインターネットプラウザに送信するステップと、モノのインターネットプラウザが各クアンタムオブジェクトで前記感知情報を処理するステップと、モノのインターネットプラウザにおいてクアンタムオブジェクトにより処理後の感知情報をリアルタイムで表示するステップとを含む。
【０００７】
そして、現在インテリジェントガスメータに広く適用しているモノのインターネットも、主に感知層と、伝送層と、アプリケーション層とからなるものである。情報伝送には、従来のモノのインターネット構成による情報の伝送ルートが単一であり、限界性が大きく、安全性が低く、且つ情報伝送の各段階においてインテリジェントガスメータを効果的に管理することができなく、ユーザによる操作対象に対するタイムリーな制御及び管理に役立たない問題があるため、従来のインテリジェントガスメータに適用するモノのインターネットシステム及びその情報伝送方法に対して研究及び改善を行う必要がある。
【発明の概要】
【０００８】
上記の従来技術における欠点及び不足を克服するために、本発明は、インテリジェントガスメータに適用するモノのインターネットシステム及びそれに関わる情報伝送方法を提供する。
【０００９】
一局面において、インテリジェントガスメータに適用するモノのインターネットシステムは、インテリジェントガスメータ感知・制御システムと、ガスネット通信システムと、ガス業者ガス総合管理システムとを含み、前記インテリジェントガスメータ感知・制御システムは、インテリジェントガスメータ感知ユニットとインテリジェントガスメータ制御ユニットとを含み、前記ガスネット通信システムは、感知情報通信システムと制御情報通信システムとを含み、前記インテリジェントガスメータ感知・制御システムにおけるインテリジェントガスメータ感知ユニットは、ガスネット通信システムにおける感知情報通信システムを介してガス業者ガス総合管理システムと通信接続し、前記ガス業者ガス総合管理システムは、ガスネット通信システムにおける制御情報通信システムを介してインテリジェントガスメータ感知・制御システムにおけるインテリジェントガスメータ制御ユニットと通信接続することを特徴とする。
【００１０】
前記インテリジェントガスメータに適用するモノのインターネットシステムは、さらにサービスシステムを含み、前記サービスシステムは、公衆ネットワークを介してガス業者ガス総合管理システムと通信接続し、前記サービスシステムは、ガス業者感知サービスシステムと、ガス業者制御サービスシステムと、政府感知サービスシステムと、社会公衆感知サービスシステムとを含む。
【００１１】
前記インテリジェントガスメータに適用するモノのインターネットシステムは、さらにユーザ端末を含み、前記ユーザ端末は、ユーザシステムを含む。
【００１２】
前記ガス業者ガス総合管理システムは、感知情報管理システムと制御情報管理システムとを含む。
【００１３】
前記情報は、感知情報と制御情報とを含み、前記制御情報は、インテリジェントガスメータ感知ユニットからインテリジェントガスメータ制御ユニットへ感知情報が伝送される間に、前記感知情報に基づいて生成され、又は前記感知情報から変換されたものである。
【００１４】
その他の局面において、インテリジェントガスメータ感知・制御システムと、ガスネット通信システムと、ガス業者ガス総合管理システムとを含み、前記インテリジェントガスメータ感知・制御システムが、インテリジェントガスメータ感知ユニットとインテリジェントガスメータ制御ユニットとを含み、前記ガスネット通信システムが、感知情報通信システムと制御情報通信システムとを含む、インテリジェントガスメータに適用するモノのインターネットシステムの情報伝送方法は、
インテリジェントガスメータ感知・制御システムにおけるインテリジェントガスメータ感知ユニットとインテリジェントガスメータ制御ユニットとを通信接続するステップと、インテリジェントガスメータ感知ユニットは、インテリジェントガスメータの感知情報を感知し、インテリジェントガスメータ制御ユニットに伝送するステップと、インテリジェントガスメータ制御ユニットは、前記感知情報を受信し、前記感知情報に基づいて制御情報を生成し、又は前記感知情報を制御情報に変換して、インテリジェントガスメータの自動処理および応答を実現するステップを含む。
【００１５】
好ましくは、前記情報伝送方法において、さらに、インテリジェントガスメータ感知・制御システムにおけるインテリジェントガスメータ感知ユニットは、インテリジェントガスメータの情報を感知してから、感知情報をガスネット通信システムにおける感知情報通信システムを介してガス業者ガス総合管理システムにおける感知情報管理システムに伝送するステップと、該感知情報管理システムは、情報を制御情報管理システムに伝送するステップと、該制御情報管理システムは、ガスネット通信システムにおける制御情報通信システムを介して情報をインテリジェントガスメータ感知・制御システムにおけるインテリジェントガスメータ制御ユニットに伝送するステップと、インテリジェントガスメータ制御ユニットは、受信した情報に基づいて、インテリジェントガスメータに対する制御を実現するステップと、を含む。
【００１６】
好ましくは、前記情報伝送方法において、さらに、インテリジェントガスメータ感知・制御システムにおけるインテリジェントガスメータ感知ユニットは、インテリジェントガスメータの情報を感知してから、ガスネット通信システムにおける感知情報通信システムを介してガス業者ガス総合管理システムにおける感知情報管理システムに伝送するステップと、感知情報管理システムは、公衆ネットワークを介して情報をサービスシステムにおけるガス業者感知サービスシステムに伝送し、該ガス業者感知サービスシステムは、情報をユーザ端末のユーザシステムに伝送するステップと、ユーザシステムは、情報をガス業者制御サービスシステムに伝送し、制御サービスシステムは、情報を公衆ネットワークを介してガス業者ガス総合管理システムにおける制御情報管理システムに伝送するステップと、該制御情報管理システムは、ガスネット通信システムにおける制御情報通信システムを介して情報をインテリジェントガスメータ感知・制御システムにおけるインテリジェントガスメータ制御ユニットに伝送するステップと、インテリジェントガスメータ制御ユニットは、受信した情報に基づいて、インテリジェントガスメータに対する制御を実現するステップと、を含む。
【００１７】
好ましくは、前記情報は、感知情報と制御情報とを含み、インテリジェントガスメータ感知ユニットからインテリジェントガスメータ制御ユニットへ感知情報を伝送する間に、前記感知情報に基づいて制御情報を生成し、又は前記感知情報被を制御情報に変換する。
【００１８】
好ましくは、さらに、サービスシステムにおける政府感知サービスシステム及び／又は社会公衆感知サービスシステムは、公衆ネットワークを介してインテリジェントガスメータの公衆情報を取得して、ユーザ端末のユーザシステムに伝送するステップと、ユーザシステムは、公衆情報をサービスシステムにおけるガス業者制御サービスシステムに伝送するステップと、ガス業者制御サービスシステムは、公衆ネットワークを介して公衆情報をガス業者ガス総合管理システムにおける制御情報管理システムに伝送するステップと、該制御情報管理システムは、ガスネット通信システムにおける制御情報通信システムを介して情報をインテリジェントガスメータ感知・制御システムにおけるインテリジェントガスメータ制御ユニットに伝送するステップと、該インテリジェントガスメータ制御ユニットは、受信した情報に基づいて、インテリジェントガスメータに対する制御を実現するステップと、を含む。
【００１９】
前記公衆情報は、公衆感知情報と制御情報を含み、公衆感知情報サービスシステムからインテリジェントガスメータ制御ユニットへ情報を伝送する間に、公衆感知情報に基づいて制御情報を生成し、又は前記公衆感知情報を制御情報に変換する。
【００２０】
感知情報は、センサーで収集された情報、タグ情報、オーディオ情報、映像情報、位置情報、スマート設備インターフェース情報のうちの少なくとも一種又は数種を含む。
【００２１】
公衆感知情報も、センサーで収集された情報、タグ情報、オーディオ情報、映像情報、位置情報、スマート設備インターフェース情報のうちの少なくとも一種又は数種を含む。
【００２２】
従来技術と比べ、本発明による有益な技術的効果は以下のようなことがある。
【００２３】
１、現在のインターネットは、実質的に電子情報網であり、従来のモノのインターネットに関わる製品は、モノ＋インターネットからなり、モノのインターネットを表す一形態である。本開示によるインテリジェントガスメータに適用するモノのインターネットシステムは、モノ＋インターネットという形式に基づく技術案である。
【００２４】
２、本発明者は、モノのインターネットの製品機能に制限されていた従来の常識を破って、モノのインターネットに基づくインテリジェントガスメータに適用するモノのインターネットシステムを初めて提出した。インテリジェントガスメータ感知情報および制御情報の全システムにおける伝送はクローズドループになるので、インテリジェントガスメータ感知情報および制御情報の伝送ルートがより明確になり、複数のノードによる伝送により、情報が改竄されるリスクもさらに低減した。そして、インテリジェントガスメータ感知情報と制御情報とは、異なる２つの伝送ルートをそれぞれ経由してインテリジェントガスメータとユーザ端末のユーザシステムとの間で逆伝送され、伝送中のインテリジェントガスメータ感知情報と制御情報との衝突が避けられた。また、本発明によるインテリジェントガスメータに適用するモノのインターネットシステムは、構成が簡単であり、伝送が多様化であり、情報伝送がさらに安全且つ確実になった。
【００２５】
３、本発明によるインテリジェントガスメータに適用するモノのインターネットシステムは、サービスシステムを更に含むことができる。サービスシステムを設けるのは、公衆ネットワークに繋げて公衆ネットワークからインテリジェントガスメータの公衆情報を取得し、モノのインターネットにおける事業者情報の一部をサービスシステムを介して外部に開示、共有させることにより、資源を効率的に利用するためである。サービスシステムは、公衆ネットワークにおける公衆情報を取得し、公衆情報に基づいてインテリジェントガスメータに対する制御を実現することができる。
【００２６】
４、本発明によるインテリジェントガスメータに適用するモノのインターネットシステムは、ガス業者ガス総合管理システムを更に含むことができる。それによって、ガス業者インテリジェントガスメータに対する制御が実現できるとともに、ガス業者とインテリジェントガスメータとの間の情報のやり取りが実現でき、情報伝送中の安全性と確実性を向上させた。
【図面の簡単な説明】
【００２７】
【図１】本発明の一実施形態によるインテリジェントガスメータに適用するモノのインターネットシステムの構成図である。
【図２】本発明の一実施形態によるインテリジェントガスメータに適用するモノのインターネットシステムの情報伝送の模式図である。
【図３】本発明のその他の実施形態によるインテリジェントガスメータに適用するモノのインターネットシステムの構成図である。
【図４】本発明のその他の実施形態によるインテリジェントガスメータに適用するモノのインターネットシステムの情報伝送の模式図である。
【発明を実施するための形態】
【００２８】
以下、図面を参照しながら本発明によるインテリジェントガスメータに適用するモノのインターネットシステム及びその情報伝送方式の具体的な実施形態を説明する。これらの図面は、例示的なものに過ぎず、本発明を限定するものではないと理解されべきである。
【００２９】
図１は、本発明の実施形態によるインテリジェントガスメータに適用するモノのインターネットシステムの構成図である。図１に示すように、インテリジェントガスメータに適用するモノのインターネットシステムは、インテリジェントガスメータ感知・制御システムと、ガスネット通信システムと、ガス業者ガス総合管理システムとを含む。前記インテリジェントガスメータ感知・制御システムは、インテリジェントガスメータ感知ユニットとインテリジェントガスメータ制御ユニットとを含む。前記ガスネット通信システムは、感知情報通信システムと制御情報通信システムとを含む。前記インテリジェントガスメータ感知・制御システムにおけるインテリジェントガスメータ感知ユニットは、ガスネット通信システムにおける感知情報通信システムを介してガス業者ガス総合管理システムと通信接続する。前記ガス業者ガス総合管理システムは、ガスネット通信システムにおける制御情報通信システムを介してインテリジェントガスメータ感知・制御システムにおけるインテリジェントガスメータ制御ユニットと通信接続する。
【００３０】
図２は、本発明の実施形態によるインテリジェントガスメータに適用するモノのインターネットシステムの情報伝送の模式図である。図１又は図２に示すように、前記インテリジェントガスメータに適用するモノのインターネットシステムは、さらに公衆サービスシステムを含むことができる。前記公衆サービスシステムは、公衆ネットワークを介してガス業者ガス総合管理システムと通信接続する。前記公衆サービスシステムは、公衆感知情報サービスシステムと、公衆制御情報サービスシステムと、ガス業者情報サービスシステムとを含む。
【００３１】
図３は、本発明のその他の実施形態によるインテリジェントガスメータに適用するモノのインターネットシステムの構成図である。図４は、本発明のその他の実施形態によるインテリジェントガスメータに適用するモノのインターネットシステムの情報伝送の模式図である。
【００３２】
図３は、図１に類似し、図１に示したインテリジェントガスメータに適用するモノのインターネットシステムにおける「公衆サービスシステム（公衆サービスネットワーク施設）」、「ガス業者管理施設」及び「通信ネットワーク施設」を変更させるとともに、用語の表現の一部を少し調整した。例えば、モノのインターネットシステムの情報体系が「対象ドメイン」、「通信ドメイン」、「管理ドメイン」、「サービスドメイン」及び「ユーザドメイン」に分けられ、物理体系が「対象層」、「通信ネットワーク層」、「管理層」、「サービス層」及び「ユーザ層」に分けられている。本発明に対する理解への支障がなく且つ特に断りが無い限り、本願の優先権となる出願ＣＮ２０１５１０７９６８１０．７に開示された内容に基づいて、本明細書に用いられる類似の用語を広義に解釈することができる。
【００３３】
また、前記インテリジェントガスメータに適用するモノのインターネットシステムは、サービスシステム（例えば、図３に示す情報体系におけるサービスドメイン）を含むことができる。前記サービスシステムは、公衆ネットワークを介してガス業者ガス総合管理システムと通信接続する。前記サービスシステムは、ガス業者感知サービスシステムと、ガス業者制御サービスシステムと、政府感知サービスシステムと、社会公衆感知サービスシステムとを含む。前記サービスドメイン又はサービス層は、その他の情報システムを含むことができる。前記その他の情報システムは、例えば情報源又は情報サービスを提供可能な全ての人、コンピュータ又はその他の電子装置のような、その他のモノのインターネットシステム又はその他の非モノのインターネットシステムであってもよい。
【００３４】
モノのインターネットインテリジェントガスメータ感知・制御システムは、モノのインターネットインテリジェントガスメータに設置されてもよい。モノのインターネットインテリジェントガスメータ感知・制御システムに含まれているモノのインターネットインテリジェントガスメータ感知ユニット及びモノのインターネットインテリジェントガスメータ制御ユニットは、いずれもモノのインターネットインテリジェントガスメータの部品であってもよい。
モノのインターネットインテリジェントガスメータには、モノのインターネットインテリジェントガスメータ通信モジュールがさらに設けられ、前記モノのインターネットインテリジェントガスメータ通信モジュールは、移動通信ネットワーク及びモノのインターネットゲートウェイとともに通信プラットフォームを構成する。また、ガスネット通信システムのサブシステム、即ち、図２又は図４に示した感知情報通信システム及び制御情報通信システムは、いずれもモノのインターネットインテリジェントガスメータ通信モジュールに設けられている。移動通信ネットワークとモノのインターネットゲートウェイとは、モノのインターネットインテリジェントガスメータの通信ネットワーク施設を構成する。ガスネット通信システムは、インテリジェントガスメータの感知情報を無線でガス業者にアップロードする。
【００３５】
ガス業者ガス総合管理システムは、ガス業者管理施設のシステムであり、ガス業者管理施設に対応するハードウェアには、通信サーバ、アプリケーションサーバおよび管理サーバが含まれている。ガス業者ガス総合管理システムのサブシステム、即ち図２又は図４に示した感知情報管理システムおよび制御情報管理システムは、いずれも管理サーバに設けられ、インテリジェントガスメータに対する管理および制御を実現するものである。前記通信サーバは、外部と通信するためのものである。前記アプリケーションサーバは、公衆ネットワークとの情報のやり取りを行うためのものである。管理サーバと通信サーバとは、ガス業者管理プラットフォームを構成することができる。通信サーバは、移動通信ネットワーク信号に対して変調および復調を行い、取得したインテリジェントガスメータ情報をアップロードし、又は遠隔に制御情報を送信するように、移動通信ネットワークとのインターフェースとして機能する。通信サーバは、専用の感知プロトコルとＩｎｔｅｒｎｅｔ ＩＰプロトコルとの間の変換を行うためのものである。
【００３６】
サービスシステムに対応する公衆サービスネットワーク施設は、データサーバ（ＤＢ）と、公衆管理サーバ（ＭＧ）と、アプリケーションサーバ（ＣＳ）を含む。公衆サービスネットワーク施設とガス業者管理施設とは、１つのアプリケーションサーバを共用してもよいし、個別のアプリケーションサーバを利用してもよい。データサーバは、感知情報に対して処理、共有、記憶、特定、解析等の管理を行うためのものである。公衆感知情報サービスシステムおよび公衆制御情報サービスシステムは、公衆管理サーバに設けられる。ガス業者情報サービスシステムは、アプリケーションサーバに設けられ、アプリケーションサーバ（ＣＳ）は、上下層の情報に対して分類および選別を行うためのものである。
【００３７】
前記インテリジェントガスメータに適用するモノのインターネットシステムは、さらにユーザ端末、即ちガスユーザ端末（又は、図３に示したユーザドメイン）を含む。ユーザ端末のユーザシステムは、個人ユーザシステムと、ガス業者ユーザシステムと、政府ユーザシステムとに分けられることができる。ユーザ端末は、移動通信端末と、専用端末と、インターネット端末と、無線ＬＡＮ端末のうちの少なくとも一種又は数種を含む。個人ユーザによるアクセス方式は多様であり、ＡＰＰをアクセスの入り口にしてもよいし、ｉｎｔｅｒｎｅｔのウェブサイトをアクセスの入り口にしてもよい。ガス業者ユーザのアクセス方式は、個人ユーザと異なって、ＬＡＮの共通出口をアクセスの入り口にすることである。政府のユーザ端末のアクセス方式は、公衆ネットワークのプロトコルの要求を満たすように、直接に公衆ネットワークにアクセスする方式およびＬＡＮにアクセスする方式であってもよい。
【００３８】
実施例１
図面１〜図４に示すように、本発明によるインテリジェントガスメータに適用するモノのインターネットシステムの情報伝送方法を例示する本実施例において、前記情報伝送方法は、以下のステップを含む。インテリジェントガスメータ感知・制御システムにおけるインテリジェントガスメータ感知ユニットとインテリジェントガスメータ制御ユニットとを通信接続する。インテリジェントガスメータ感知ユニットは、インテリジェントガスメータの感知情報を感知して、インテリジェントガスメータ制御ユニットに伝送する。インテリジェントガスメータ制御ユニットは、感知情報を制御情報に変換して、インテリジェントガスメータの自動処理および応答を実現する。
【００３９】
実施例２
本発明によるインテリジェントガスメータに適用するモノのインターネットシステムの情報伝送方法のその他の実施例において、前記情報伝送方法は、さらに以下のステップを含む。インテリジェントガスメータ感知・制御システムにおけるインテリジェントガスメータ感知ユニットは、インテリジェントガスメータの感知情報を取得し、ガスネット通信システムにおける感知情報通信システムを介してガス業者ガス総合管理システムにおける感知情報管理システムに伝送する。感知情報管理システムは、受信した感知情報に対して記憶、特定及び解析等の処理を行ってから、処理後の感知情報を制御情報管理システムに伝送する。制御情報管理システムは、感知情報に基づいて制御情報を生成し、又は取得した感知情報を対応する制御情報に変換して、制御情報に対して記憶、特定及び解析等の処理を行ってから、処理後の制御情報をガスネット通信システムにおける制御情報通信システムを介してインテリジェントガスメータ感知・制御システムにおけるインテリジェントガスメータ制御ユニットに伝送する。インテリジェントガスメータ制御ユニットは、受信した制御情報に基づいて、インテリジェントガスメータに対する制御を実現する。
【００４０】
実施例３
本発明によるインテリジェントガスメータに適用するモノのインターネットシステムの情報伝送方法のその他の実施例において、前記情報伝送方法は、さらに以下のステップを含む。インテリジェントガスメータ感知・制御システムにおけるインテリジェントガスメータ感知ユニットは、インテリジェントガスメータの感知情報を取得し、ガスネット通信システムにおける感知情報通信システムを介してガス業者ガス総合管理システムにおける感知情報管理システムに伝送する。感知情報管理システムは、受信した感知情報に対して記憶、特定及び解析等の処理を行って、公衆ネットワークを介して処理後の感知情報をサービスシステムにおけるガス業者感知サービスシステムに伝送する。感知サービスシステムは、取得した感知情報に対して記憶、特定及び解析の処理を行ってから、処理後の感知情報をユーザ端末のユーザシステムに伝送する。ユーザシステムは、感知情報に基づいて制御情報を生成し、又は受信した感知情報を制御情報に変換し、制御情報に対して記憶、特定及び解析等の処理を行ってから、処理後の制御情報をガス業者制御サービスシステムに伝送する。制御サービスシステムは、受信した制御情報を公衆ネットワークを介してガス業者ガス総合管理システムにおける制御情報管理システムに伝送する。制御情報管理システムは、受信した制御情報に対して記憶、特定及び解析等の処理を行ってから、ガスネット通信システムにおける制御情報通信システムを介して制御情報をインテリジェントガスメータ感知・制御システムにおけるインテリジェントガスメータ制御ユニットに伝送する。インテリジェントガスメータ制御ユニットは、受信した制御情報に基づいて、インテリジェントガスメータに対する制御を実現する。
【００４１】
好ましくは、ガス業者情報サービスシステムによる受信した感知情報に対する記憶、特定及び解析等の処理がアプリケーションサーバで行い、感知情報をデータサーバに記憶し、制御情報サービスシステムによる制御情報に対する記憶、特定及び解析等の処理もアプリケーションサーバで行い、制御情報をデータサーバに記憶するようにする。
【００４２】
実施例４
本発明のその他の実施例において、サービスシステムにおける政府感知サービスシステム及び／又は社会公衆感知サービスシステムは、公衆ネットワークを介してインテリジェントガスメータにおける公衆感知情報を取得し、ユーザ端末のユーザシステムに伝送する。
【００４３】
好ましくは、ユーザシステムは、受信した感知情報に対して記憶、特定及び解析を行って、直接に公衆感知情報をサービスシステムにおけるガス業者制御サービスシステムに伝送する。ガス業者制御サービスシステムは、公衆感知情報に基づいて制御情報を生成し、又は受信した公衆感知情報を対応する制御情報に変換し、制御情報に対して記憶、特定及び解析の処理を行ってから、処理後の制御情報を公衆ネットワークを介してガス業者ガス総合管理システムにおける制御情報管理システムに伝送して取りまとめる。制御情報管理システムは、制御情報に対して記憶、特定及び解析を行って、制御情報をガスネット通信システムにおける制御情報通信システムを介してインテリジェントガスメータ感知・制御システムにおけるインテリジェントガスメータ制御ユニットに伝送する。インテリジェントガスメータ制御ユニットは、受信した情報に基づいて、インテリジェントガスメータに対する制御を実現する。
【００４４】
又は、代わりに、ユーザシステムは、さらに公衆感知情報に対して記憶、特定及び解析を行い、公衆感知情報に基づいて制御情報を生成し、又は受信した公衆感知情報を制御情報に変換する。そして、制御情報を記憶してから、公衆サービスシステムにおける公衆制御情報サービスシステムに伝送する。公衆制御情報サービスシステムは、制御情報をガス業者情報サービスシステムにおける制御情報サービスシステムに伝送する。ガス業者制御サービスシステムは、制御情報に対して記憶、特定及び解析の処理を行って、処理後の制御情報を公衆ネットワークを介してガス業者ガス総合管理システムにおける制御情報管理システムに伝送して取りまとめる。制御情報管理システムは、制御情報に対して記憶、特定及び解析を行い、ガスネット通信システムにおける制御情報通信システムを介してインテリジェントガスメータ感知・制御システムにおけるインテリジェントガスメータ制御ユニットに伝送する。インテリジェントガスメータ制御ユニットは、受信した情報に基づいて、インテリジェントガスメータに対する制御を実現する。
【００４５】
実施例５
本発明のその他の実施例において、公衆サービスシステムにおける公衆感知情報サービスシステムは、公衆ネットワークを介してインテリジェントガスメータの公衆感知情報を取得し、公衆サービスシステムにおける公衆制御情報サービスシステムに伝送する。公衆制御情報サービスシステムは、公衆感知情報をガス業者情報サービスシステムにおける制御情報サービスシステムに伝送する。制御情報サービスシステムは、公衆感知情報に基づいて制御情報を生成し又は受信した公衆感知情報を対応する制御情報に変換し、制御情報に対して記憶、特定及び解析の処理を行ってから、処理後の制御情報を公衆ネットワークを介してガス業者ガス総合管理システムにおける制御情報管理システムに伝送する。制御情報管理システムは、制御情報に対して記憶、特定及び解析を行い、ガスネット通信システムにおける制御情報通信システムを介してインテリジェントガスメータ感知・制御システムにおけるインテリジェントガスメータ制御ユニットに伝送する。インテリジェントガスメータ制御ユニットは、受信した情報に基づいて、インテリジェントガスメータに対する制御を実現する。
【００４６】
好ましくは、公衆サービスシステムにおける公衆感知情報サービスシステムは、公衆ネットワークを介してインテリジェントガスメータの公衆感知情報を取得し、公衆サービスシステムにおける公衆制御情報サービスシステムに伝送する。公衆制御情報サービスシステムは、公衆感知情報をガス業者情報サービスシステムにおける制御情報サービスシステムに伝送する。制御情報サービスシステムは、受信した公衆感知情報に対して記憶、特定及び解析の処理を行って、処理後の公衆感知情報を公衆ネットワークを介してガス業者ガス総合管理システムにおける制御情報管理システムに伝送する。制御情報管理システムは、公衆感知情報に基づいて制御情報を生成し又は受信した公衆感知情報を対応する制御情報に変換し、制御情報に対して記憶、特定及び解析の処理を行ってから、制御情報をガスネット通信システムにおける制御情報通信システムを介してインテリジェントガスメータ感知・制御システムにおけるインテリジェントガスメータ制御ユニットに伝送する。インテリジェントガスメータ制御ユニットは、受信した情報に基づいて、インテリジェントガスメータに対する制御を実現する。
【００４７】
上記実施例は、本発明の好ましい実施形態に過ぎず、本発明の実施形態を限定するものではない。本発明の主旨及び原理を逸脱しない範囲での変更、修飾、代替、組合せ、簡易化は、すべて均等の置換形態とみなされべき、本発明の保護範囲に属する。
【図１】
0006607626.tif 000002
【図２】
0006607626.tif 000003
【図３】
0006607626.tif 000004
【図４】
0006607626.tif 000005